(57)【要約】【課題】環境に優しい生分解機能を有する有機肥料パックを提供すること。【解決手段】本発明によれば、園芸用植物および食用植物のいずれか一つが植栽された用土（例えば、配合土などの生育用土部材およびラン用土などの水分吸収部材）に植物の栄養素とミネラルを供給するために、有機堆肥からなる１２種類の栄養素とミネラル（マンガン、亜鉛など）パウダーを収容する肥料パックが一定時間経過の後に上記生育用土部材および水分吸収部材中の微生物によって生分解されるようにし、生育用土部材および水分吸収部材の上に設けられた肥料パックが一定時間経過の後に上記生育用土部材および水分吸収部材中の微生物によって生分解され、環境汚染の要因を根源的に除去するので、環境に優しく食用および観賞用植物を栽培することができるようにした、環境に優しい生分解機能を有する有機肥料パックを提供する。【選択図】図２
2016523798.tif 000002
【特許請求の範囲】
【請求項１】
パルプ成分または植物繊維を有しており、微生物によって環境に優しく生分解される紙部材と、
前記紙部材のパルプまたは植物繊維上に含浸および被覆され、亜麻仁油、豆油および桐油（アブラギリの油）を含む植物油と、粘土、タルク、珪藻土、吸着シリカの粉末およびこれらの混合物からなる群から選択される結合体と、が混合されたコーティング部材と、
前記コーティング部材に被覆された前記紙部材によって形成され、植物に養分（養液）を供給する肥料を収容するように成形された肥料収容部材と、
を含むことを特徴とする、環境に優しい生分解機能を有する有機肥料パック。
【請求項２】
前記肥料は、有機肥料であって、有機堆肥とミネラル（カルシウム５０．８％、リン２９．４％、カリウム６．７％、硫黄５．１％、塩素３．７％、ナトリウム２．９％、マグネシウム１．１％、亜鉛及び銅０．３％などの６０余種を含む千枚岩、黒雲母、麦飯石）顆粒と、が混合されている
ことを特徴とする、請求項１に記載の環境に優しい生分解機能を有する有機肥料パック。
【請求項３】
前記肥料収容部材は、底面灌水用植物栽培管理器に収容されたラン用土とひゅうが土を含む水分吸収部材の上に配置され、前記結合体によって水分保湿機能を有し、その水分保湿機能により肥料を溶解して植栽植物に供給し、
前記肥料収容部材に収容された肥料は、有機肥料、緩効性肥料および化学肥料の少なくともいずれか一つであり、
前記紙部材は、化学成分の含まれていない濾紙、濾過紙、韓紙、ボール紙および模造紙を含み、環境に優しく生分解可能な木綿および綿からなる生地部材で代替可能である
ことを特徴とする、請求項１に記載の環境に優しい生分解機能を有する有機肥料パック。
【請求項４】
前記コーティング部材は、鉱物酒精による固形分が４０％以上の濃度を有する分解性樹脂組成物を更に含み、５０℃〜７０℃で一定の時間乾燥させると硬化し、被覆量に応じて前記紙部材の硬化保持時間および環境に優しい分解時間を調節することが可能であり、
前記コーティング部材の植物油は、前記亜麻仁油、豆油、桐油の代わりに潤滑油などの他の有機油を代用物として適用することができる
ことを特徴とする、請求項１に記載の環境に優しい生分解機能を有する有機肥料パック。
【請求項５】
前記コーティング部材は、前記紙部材のパルプまたは植物繊維上に含浸および被覆され、亜麻仁油、豆油および桐油（アブラギリの油）を含む植物油から構成される
ことを特徴とする、請求項１に記載の環境に優しい生分解機能を有する有機肥料パック。
【請求項６】
水分を吸収する機能を有するオアシス、ラン用土およびひゅうが土を選択的に含む水分吸収部材が一定の高さまで収容されており、かつ、その高さまで水が満たされている肥料供給植木鉢に提供されており、前記水分吸収部材の上部に位置する、植物が植栽されたパルプ紙植木鉢の配合土に養水分または養液を供給するための環境適合性の有機肥料パックにおいて、
一側が前記水分吸収部材に当接してその水分を吸収しながら、他側に位置する、有機堆肥と、千枚岩、黒雲母、麦飯石を含むミネラル顆粒と、が混合された有機肥料に供給するための軟質の下部パルプ紙と、
一側が前記パルプ紙植木鉢の底面に接触可能であり、他側に前記有機肥料と水分とから組成される有機養水分または養液を前記パルプ紙植木鉢に提供する軟質の上部パルプ紙と、
前記下部パルプ紙から離隔し、かつ、前記上部パルプ紙と接触可能に形成されており、前記肥料が充填されるように前記下部パルプ紙から離隔した肥料空間を形成して、前記充填された肥料と水による養水分または養液を、前記パルプ紙植木鉢に植栽された植物に絶えず供給し、前記ミネラル顆粒からミネラルの過剰供給を防止する硬質パルプ紙の肥料供給調節板と、
前記肥料空間が形成されるようにするために前記上部パルプ紙と前記下部パルプ紙と前記肥料供給調節板とが互いに相接している縁部に高周波融着または熱融着が施され、前記肥料の漏れを防止するボンディングと、
を含むことを特徴とする、環境に優しい生分解機能を有する有機肥料パック。
【請求項７】
前記肥料供給調節板は、前記植物の微細根のみが前記肥料空間に浸透できるようにするために硬質のパルプ紙が一定の圧縮強度に形成され、これにより養水分または養液およびミネラルの過剰供給を防止して供給量を調節するようにした
ことを特徴とする、請求項６に記載の環境に優しい生分解機能を有する有機肥料パック。
【請求項８】
前記パルプ紙は、前記配合土で生分解される不織布と混合されるか、または、不織布から構成される
ことを特徴とする、請求項６に記載の環境に優しい生分解機能を有する有機肥料パック。
【発明の詳細な説明】
【技術分野】
【０００１】
本発明は、環境配慮し、生分解機能を有する有機肥料パックに関するものであり、より詳細には、園芸用植物および食用植物のいずれか一つが植栽された用土（例えば、配合土などの生育用土部材およびラン用土などの水分吸収部材）に植物の栄養素とミネラルを供給するために、有機堆肥から構成された１２種類の栄養素とミネラル（マンガン、亜鉛など）パウダーを収容する肥料パックが一定時間経過後に、前記生育用土部材および水分吸収部材中の微生物によって生分解されるようにした、環境に優しい生分解機能を有する有機肥料パックに関するものである。
【背景技術】
【０００２】
一般に、植物管理は、散水方法であって、植物が植栽された配合土の水分状態を観察して、管理者の主観的判断に基づいて散水および施肥を行わなければならず、それにより植物の状態に適した正確な養水分の管理が難しい。特に、植物管理の専門知識が不足している一般人は、植物生育の管理の難しさを感じており、一度の管理不足により植物が枯れたり、ひどい場合には枯死してしまったりすることもある。
【０００３】
また、前記養水分を造成するための肥料として、化学工程によって製造されたものを使用する、すなわち、これを滋養分とする植物は、環境に優しくない。このため、農薬や促進剤などの化学的植物管理サプリメントを使わないオーガニック野菜であっても、化学的な肥料を滋養分とするため、これを食用とする人体に対して様々な不調和を引き起こすという問題点がある。
【０００４】
一方、従来の肥料パックは、前述した化学的な肥料を養水分として用いて植物に提供するものであるが、前記肥料を収容する不織布の材質が合成樹脂であるため、植物の植栽されている配合土などの用土内に内在されている。そのため、不織布の肥料パックをいちいち取り除いたり、あるいは、放置したりした場合、これら不織布は土壌で分解されないため、土壌の環境汚染について直接的な原因となるという問題点がある。
【０００５】
また、従来の肥料パックは、露地用土、植木鉢の生育用土部材及び水分吸収部材中に位置し、植栽された植物に対して必要な養分を供給することができるように、有機肥料および緩効性肥料（固形肥料）や化学肥料などを収容している。
【０００６】
このような肥料パックは、合成樹脂の不織布からなり、繰り返される水分供給にもその形状を保持することができるという利点はあるものの、長時間使用されたり、あるいは、管理されていない状態で放置されたりした場合には、土壌汚染および環境汚染を誘発させる主犯となるという、かなりの問題点を有している。
【０００７】
従って、専門知識のない一般人の誰もが、環境汚染させることなく安定した食用植物を育てて生育管理することが可能な環境が求められている。
【発明の概要】
【発明が解決しようとする課題】
【０００８】
本発明は、かかる問題点を解決するために創案したものであり、生育用土部材および水分吸収部材上に設けられた肥料パックが一定時間経過の後に前記生育用土部材および水分吸収部材中の微生物によって生分解されて、環境汚染の要因を根源的に除去するため、環境に優しく食用および観賞用植物を栽培することができるようにした、環境に優しい生分解機能を有する有機肥料パックを提供することを目的とする。
【０００９】
また、本発明は、コーティング部材の含浸および被覆量に応じて、生分解される時間を可変的に調節することで、様々な種類の食用および観賞用植物に相応した生育環境を適切に造成するようにした、環境に優しい生分解機能を有する有機肥料パックを提供することを目的とする。
【００１０】
また、本発明は、肥料が収容される一定の空間に有機肥料、緩効性肥料または化学肥料のいずれかを仕込み、対応する様々な種類の食用植物に適切な養分を供給することで、土壌汚染を防止するようにした、環境に優しい生分解機能を有する有機肥料パックを提供することを目的とする。
【００１１】
また、本発明は、紙の原料の繊維質をより強力に結合させて硬化させることで、裁断された形状を一定期間保持するようにした、環境に優しい生分解機能を有する有機肥料パックを提供することを目的とする。
【００１２】
また、本発明は、園芸用植物および食用栽培植物のいずれか一つが植栽された用土（配合土およびラン用土など）に植物の栄養素とミネラルを供給するために、有機堆肥からなる１２種類の栄養素（窒素、リン酸、カリウム、硫黄、カルシウム、マグネシウム、鉄、マンガン、ホウ素、亜鉛、銅、モリブデン）、ミネラル（マンガン、亜鉛などの６０余種）パウダーまたは顆粒を収容しており、１〜３年程度の期間が経過すると環境に優しく用土と一緒に生分解されるようにして、土壌の汚染から安全な園芸植物および有機食用野菜、その植物を供給することができるようにした、環境に優しい生分解機能を有する有機肥料パックを提供することを目的とする。
【００１３】
また、本発明は、それぞれの異なる容量ごとに１つずつ肥料パックを構成して、使用範囲に応じた植物が植栽された用土に内在させるか、ラン用土が収容された底面灌水用栽培容器にのせ、不織布およびパルプ紙の植木鉢に入っている用土により植栽された植物に、水に溶解した養水分または養液を適切に供給するようにした、環境に優しい生分解機能を有する有機肥料パックを提供することを目的とする。
【課題を解決するための手段】
【００１４】
上記目的を達成するために、本発明のある観点によれば、パルプ成分または植物繊維を有しており、微生物によって環境に優しく生分解される紙部材と、前記紙部材のパルプまたは植物繊維上に含浸および被覆され、亜麻仁油、豆油および桐油（アブラギリの油）を含む植物油と、粘土、タルク、珪藻土、吸着シリカの粉末およびこれらの混合物からなる群から選択される結合体とが混合されたコーティング部材と、前記コーティング部材に被覆された前記紙部材によって形成され、植物に養分（養液）を供給する肥料を収容するように成形された肥料収容部材と、を含む、環境に優しい生分解機能を有する有機肥料パックを提供する。
【００１５】
ここで、上記肥料は、有機肥料であって、有機堆肥と、ミネラル（カルシウム５０．８％、リン２９．４％、カリウム６．７％、硫黄５．１％、塩素３．７％、ナトリウム２．９％、マグネシウム１．１％、亜鉛及び銅０．３％などの６０余種を含む千枚岩、黒雲母、麦飯石）顆粒と、が混合されていることが好ましい。
【００１６】
また、前記肥料収容部材は、底面灌水用植物栽培管理器に収容されたラン用土とひゅうが土を含む水分吸収部材の上に配置され、前記結合体によって水分保湿機能を有し、その水分保湿機能により肥料を溶解して植栽植物に供給し、前記肥料収容部材に収容された肥料は、有機肥料、緩効性肥料および化学肥料の少なくともいずれか一つであり、前記紙部材は、化学成分の含まれていない濾紙、濾過紙、韓紙、ボール紙、模造紙を含み、環境に優しく生分解可能な木綿および綿からなる生地部材で代替可能であることが好ましい。
【００１７】
また、上記コーティング部材は、鉱物（ミネラル）酒精による固形分が４０％以上の濃度を有する分解性樹脂組成物を更に含み、５０℃〜７０℃で一定の時間乾燥させると硬化し、被覆量に応じて前記紙部材の硬化保持時間および環境に優しい分解時間を調節することができ、前記コーティング部材の植物油は、前記亜麻仁油、豆油、桐油の代わりに潤滑油などの他の有機油を代用物として適用することができることが好ましい。
【００１８】
また、上記コーティング部材は、前記紙部材のパルプまたは植物繊維上に含浸および被覆され、亜麻仁油、豆油および桐油（アブラギリの油）を含む植物油から構成されることが好ましい。
【００１９】
また、上記目的を達成するための本発明の他の観点によれば、水分を吸収する機能を有するオアシス、ラン用土およびひゅうが土を選択的に含む水分吸収部材が一定の高さまで収容されており、かつ、その高さまで水が満たされている肥料供給植木鉢に提供されており、前記水分吸収部材の上部に位置する、植物が植栽されたパルプ紙植木鉢内の配合土に養水分または養液を供給するための環境適合性の有機肥料パックにおいて、一側が前記水分吸収部材に当接してその水分を吸収しながら、他側に位置する、有機堆肥と、千枚岩、黒雲母、麦飯石を含むミネラル顆粒と、が混合された有機肥料に供給するための軟質の下部パルプ紙と、一側が前記パルプ紙植木鉢の底面に接触可能であり、他側に前記有機肥料と水分とから組成される有機養水分または養液を前記パルプ紙植木鉢に提供する軟質の上部パルプ紙と、前記下部パルプ紙から離隔し、かつ、前記上部パルプ紙と接触可能に形成されており、前記肥料が充填されるように前記下部パルプ紙から離隔した肥料空間を形成して、前記充填された肥料と水による養水分または養液を前記パルプ紙植木鉢に植栽された植物に絶えず供給し、前記ミネラル顆粒からミネラルの過剰供給を防止する硬質パルプ紙の肥料供給調節板と、前記肥料空間が形成されるようにするために前記上部パルプ紙と前記下部パルプ紙と前記肥料供給調節板とが互いに相接している縁部に高周波または熱融着が施され、前記肥料の漏れを防止するボンディングと、を含む、環境に優しい生分解機能を有する有機肥料パックを提供する。
【００２０】
ここで、上記肥料供給調節板は、前記植物の微細根のみが前記肥料空間に浸透できるようにするために、硬質のパルプ紙が一定の圧縮強度に形成され、これにより養水分または養液およびミネラルの過剰供給を防止して供給量を調節するようにしたことが好ましい。
【００２１】
また、上記パルプ紙は、前記配合土で生分解される不織布と混合されるか、または、不織布から構成されることが好ましい。
【発明の効果】
【００２２】
本発明は、生育用土部材及び水分吸収部材上に設けられた肥料パックが、一定時間経過後に前記生育用土部材および水分吸収部材中の微生物によって生分解され、環境汚染の要因を根源的に除去するため、環境に優しく食用および観賞用植物を栽培することができる。そのため、食用植物の完全な有機栽培を可能とするとともに、健康な食生活環境および安全な食資材の供給を可能とするという効果がある。
【００２３】
また、本発明は、コーティング部材の含浸および被覆量（コーティング回数）に応じて、生分解される時間を可変的に調節し、様々な種類の食用および観賞用植物に相応した生育環境を適切に造成するようにするため、植物の生態環境に適した環境適合性栽培技術を提供するという効果がある。
【００２４】
また、本発明は、肥料が収容される一定の空間に有機肥料、緩効性肥料または化学肥料のいずれかの肥料を仕込んで、該当する食用植物に適切な養分を供給するので、供給される肥料に関係なく、土壌汚染および環境汚染を完全に防止することができるという効果がある。
【００２５】
また、本発明は、紙の原料の繊維質をより強力に結合させて硬化させるので、裁断された形態を一定の期間保持するようになるため、生態学的植物栽培の活用度を極大化させるという効果がある。
【００２６】
また、本発明は、水分吸収部材および生育用土部材と肥料パックを分離する作業が必要ないため、労働力を削減することができるという効果がある。
【００２７】
また、本発明は、園芸用植物および食用栽培用植物のいずれか一つが植栽された用土（配合土およびラン用土など）に植物の栄養素とミネラルを供給するために、有機堆肥からなる１２種の栄養素とミネラル（マンガン、亜鉛などの６０余種を含む千枚岩、黒雲母、麦飯石）顆粒を収容しており、１〜３年程度の期間が経過すると、環境に優しく用土と一緒に生分解されるようにして、土壌の汚染から安全な園芸植物および有機食用野菜、その植物を供給することができるため、一般人の誰もが、土壌汚染なしに園芸植物および有機食用野菜の生育管理を簡便に行うことができるという効果がある。
【００２８】
また、本発明は、それぞれの互いに異なる容量ごとに１つずつ肥料パックに構成して、使用範囲に応じて植物の植栽された用土に内在させるか、あるいは、ラン用土の収容された底面灌水用栽培容器に載置し、不織布およびパルプ紙の植木鉢に入っている用土に植栽された植物に、水に溶けた養水分を供給するため、全く環境に優しい植物を生育させることができ、有機園芸植物および農産物を栽培することができるという効果がある。
【図面の簡単な説明】
【００２９】
【図１】本発明に係る環境に優しい生分解機能を有する有機肥料パックの断面を示す斜視図である。
【図２】本発明に係る環境に優しい生分解機能を有する有機肥料パックが適用された植物栽培管理器を示す断面図である。
【発明を実施するための形態】
【００３０】
以下、本発明に係る環境に優しい生分解機能を有する有機肥料パックを、詳細に説明する。
【００３１】
本発明の肥料パック１は、図１に示すように、紙部材９、コーティング部材（図示せず。）、および、肥料収容部材７から構成されている。また、肥料収容部材７の収容空間には、肥料１２が充填されている。
【００３２】
上記紙部材９は、植木鉢に使用される全体的な材質をいい、パルプ成分または植物繊維をもって生育用土中の微生物によって環境に優しく分解されるものである。紙部材９は、十分な水分によって軟化し、特定の形状を保持することが困難となるか、または、破れて分離する現象が起こる。
【００３３】
また、上記紙部材９は、化学成分が含まれておらず、かつ、植物繊維が含まれて構成された濾紙、濾過紙、韓紙、ボール紙、模造紙を含み、環境に優しく生分解可能な木綿と綿からなる生地部材で代替可能である。
【００３４】
上記コーティング部材は、紙部材９の欠点を解決するために、上記紙部材９のパルプまたは植物繊維上に浸透して含浸および被覆され、一定の乾燥温度を経て硬化すると、パルプまたは植物繊維質を強力に結合させて、一定の時間、水分による軟化を防止することができる。この成分は、亜麻仁油、豆油および桐油（アブラギリの油）を含む植物油と、粘土、タルク、珪藻土、吸着シリカのパウダーおよびこれらの混合物からなる群より選択される結合体と、を混合したものである。ここで、上記結合体は、水分を保湿して生育用土部材に植栽された植物へと供給し、これらは０．００１ｍｍ以下程度の微細メッシュ（またはスクリーン）を通過したパウダーから構成されている。
【００３５】
また、上記コーティング部材は、上記結合体とほぼ同様の機能を有しており、鉱物（ミネラル）酒精による固形分が４０％以上の濃度を有する分解性樹脂組成物（水溶性樹脂）を更に含み、その植物油は、パルプまたは植物繊維質に浸透してそれらを強力に結合させるように、５０℃〜７０℃の温度で一定時間乾燥させると、一定の期間の間形状を保持することができるように硬化する。ここで、コーティング回数や被覆量に応じて、上記紙部材の硬化保持時間と、環境に優しい分解時間と、を調節することができる。
【００３６】
また、上記コーティング部材の植物油は、上記亜麻仁油、豆油、桐油の代わりに、変性乾性油および潤滑油などの他の有機油を代用物として適用することができる。
【００３７】
上記肥料収容部材７は、上記コーティング部材に被覆された上記紙部材９を裁断して、植物に養分（養液）を供給する肥料１２を収容するように、ボンディング１３によって成形したものである。
【００３８】
上記肥料収容部材は、露地用土と植木鉢の生育用土部材および水分吸収部材２中に使用され、植栽された植物に養分を供給する。特に、図２に示すように、底面灌水用植物栽培管理器の水槽鉢３に収容された水分吸収部材２の上に使用されることが好ましく、上記コーティング部材の結合体による水分保湿機能によって供給された水分や水分吸収部材２の水分が結合体に移動することにより、収容された肥料１２を溶解させ、上記結合体を介して、溶解した養分を植物へと供給する。
【００３９】
上記肥料収容部材７の表面には、上記水分が十分に通過することができる程度のメッシュ（図示せず。）が形成されている。
【００４０】
上記肥料収容部材７に収容された肥料１２は、有機肥料、緩効性肥料および化学肥料を含み、これらが混合されている。上記有機肥料は、有機堆肥とミネラル（カルシウム５０．８％、リン２９．４％、カリウム６．７％、硫黄５．１％、塩素３．７％、ナトリウム２．９％、マグネシウム１．１％、亜鉛と銅０．３％などの６０余種を含む千枚岩、黒雲母、麦飯石）顆粒とが混合されている。上記緩効性肥料は、固形肥料であって、窒素、リン酸、カリウム、マグネシウム、硫黄から構成されている。
【００４１】
一方、このように構成された本発明に係る環境適合性の可変分解時間を有する肥料パックのための製造方法は、上記紙部材９に上記コーティング部材を塗布した後、これを利用して上記肥料１２を収容するようにした肥料収容部材７を成形し、その肥料収容部材７に有機肥料、緩効性肥料または化学肥料などの肥料１２を収容することにより行われる。
【００４２】
他の方法は、紙部材９によって形成され、上記肥料１２を収容するように成形した肥料収容部材７に上記コーティング部材を塗布した後、一定の時間、乾燥及び硬化過程を経た後、肥料１２を充填してボンディング１３で仕上げ処理する。ここで、上記ボンディング１３は、高周波ボンディングだけでなく、環境に優しく生分解可能な接着剤または縫い糸を用いたボンディングを含む。
【００４３】
更に別の方法は、上記肥料収容部材７に肥料１２を充填させた後に上記コーティング部材を塗布し、これに対して一定の時間、乾燥及び硬化過程を経て、本発明の肥料パックを製造する。
【００４４】
上述したような本発明に係る環境に優しい生分解機能を有する有機肥料パックは、一般的な露地用土に使用することができるが、図２に示すように、植物に供給するための水を収容する水槽鉢３に収容されており、植物が植栽された環境適合性の植栽鉢５と水分吸収部材２との間に位置し、上記植栽鉢の生育用土部材上に植栽されている食用および観賞用植物に対し、育苗または完全生長に至るまで養分を供給する。ここで、紙部材９にコーティング部材が含浸されているため、繰り返される水分供給、すなわち水を撒いても、紙部材９の植物繊維に結合されたコーティング部材によって一定期間の間形状をそのまま保持するので、その生育用土部材および植物に養分を供給し、植物の完全生長によりその用途が失われるか、または、収容された肥料が消尽する場合に、生育用土部材と露地用土および水分吸収部材中の微生物によって完全に生分解される。
【００４５】
上記コーティング部材の結合によってその形状を保持する紙部材９は、コーティング部材の塗布量またはコーティング回数に応じて、形状保持期間が増加する。すなわち、１回のコーティングで６ヶ月〜１２ヶ月間形状が保持されるならば、２回のコーティングでは２倍の形状保持期間に増加し、３回のコーティングでは３倍の形状保持期間に増加する。
【００４６】
一方、上記コーティング部材は、紙部材９の硬化および生分解時間を延長させるためのもので、植物油である上記亜麻仁油、豆油、桐油だけでなく、変性乾性油および潤滑油などの他の有機油のみで、その機能を十分に保持することができる。
【００４７】
（発明の実施のための形態）
以下、本発明に係る環境に優しい生分解機能を有する有機肥料パックの他の実施例を詳細に説明する。
【００４８】
本実施例の有機肥料パック１は、図２に示すように、水分を吸収する機能を有するオアシス、ラン用土、ひゅうが土（水分を吸収する石）を選択的に含む水分吸収部材２が一定の高さまで収容されており、かつ、その高さまで水が満たされている肥料供給用水槽鉢３内に配置されており、上記ラン用土およびひゅうが土の上に載置されたパルプ紙植栽鉢５内の配合土に、肥料と水によって形成される養水分または養液を供給するためのものである。
【００４９】
上記肥料パック１および上記パルプ紙植栽鉢５は、土壌と混合されると一定の時間後に生化学的に分解されるため、無害な環境を提供する。これにより、土壌の汚染を根本的に防止することができる。
【００５０】
本有機肥料パック１の構成は、図１に示すように、軟質の下部パルプ紙７、軟質の上部パルプ紙９、肥料供給調節板１１およびボンディング１３から構成されている。
【００５１】
上記軟質の下部パルプ紙７は、一側が上記水分吸収部材２に当接してその水分を吸収し、その水分を、他側に位置する有機堆肥とミネラル（カルシウム５０．８重量％、リン２９．４重量％、カリウム６．７重量％、硫黄５．１重量％、塩素３．７重量％、ナトリウム２．９重量％、マグネシウム１．１重量％、亜鉛および銅０．３重量％などの６０余種を含む千枚岩、黒雲母、麦飯石）顆粒とが混合された有機肥料１２へと供給する。上記千枚岩、黒雲母、麦飯石のミネラルは、植物の微細根と接触して供給される。
【００５２】
上記軟質の上部パルプ紙９は、一側が上記パルプ紙植木鉢５の底面に接触可能であり、他側に上記有機肥料１２と水分とから造成される有機養水分または養液を、上記パルプ紙植栽鉢５に提供する。
【００５３】
上記肥料供給調節板１１は、上記下部パルプ紙７から離隔し、かつ、上記上部パルプ紙９と接触可能に形成されており、上記有機肥料１２が充填されるように上記下部パルプ紙７から離隔した肥料空間を形成して、上記充填された肥料と水による養水分または養液を、上記パルプ紙植栽鉢５に植栽された植物に対応するように規則的に供給する。ここで、上記肥料供給調節板１１は、上記植物の微細根だけが上記肥料空間に浸透できるようにするために、硬質のパルプ紙が一定の圧縮強度に形成され、これにより養水分または養液およびミネラルの過剰供給を防止して、供給量を調節するようにする。
【００５４】
上記ボンディング１３は、上記肥料空間が形成されるようにするために、上記上部パルプ紙９と上記下部パルプ紙７と上記肥料供給調節板１１とが互いに相接している縁部に、高周波融着または熱融着が施され、肥料空間に貯蔵された上記有機肥料１２の流出を防止する。
【００５５】
上述したような本発明に係る環境に優しい生分解機能を有する有機肥料パックは、パルプ紙植木鉢に植栽された植物の生育に適した有機養水分または養液を供給するとともに、上記植物の微細根のみが上記肥料供給調節板１１を貫通してミネラル、すなわち千枚岩、黒雲母、麦飯石に着根し、これによりミネラル６８種の成分の供給を適切に受けて有機植物の生育を完成するのである。ここで、上記植物が食用野菜である場合、人に無害で安全な食生活を提供することができる。
【００５６】
また、上記パルプ紙は、一定の時間が経過すると、植物が植栽される配合土などの用土で生分解されて健康な土壌を造成し、食用野菜に常に無害な環境を提供することができる。よって、上記パルプ紙として、用土で生分解できる不織布を使用することもできる。
【図１】
2016523798.tif 000003
【図２】
2016523798.tif 000004
【国際調査報告】
2016523798.tif 000005
2016523798.tif 000006
2016523798.tif 000007
2016523798.tif 000008
2016523798.tif 000009
2016523798.tif 000010